(57)【特許請求の範囲】
【請求項１】
入力された１フィールドの画像データの符号化を行って得られた１フィールド分の符号化画像から復号して、１フィールド分の画像信号を生成し、この１フィールド分の画像信号を２度用いると共に水平・垂直ブランキングデータを付加して、１フレーム分を構成する復号化映像信号を出力する画像変換装置において、
前記１フィールド分の画像信号は、時間軸上で、第１垂直ブランキングデータと、水平ブランキングデータが付加された復号化画像と、第２垂直ブランキングデータとの順に走査されるデータ配列から構成されており、
前記画像変換装置は、
第１垂直ブランキングデータと、第１の水平ブランキングデータと、１フィールド分の復号化画像と、第２垂直ブランキングデータとを含む前記１フィールド分の画像信号を格納するメモリと、
前記メモリから前記第１垂直ブランキングデータを所定回読み出し、次に、前記メモリから前記第１の水平ブランキングデータが付されるようにして前記１フィールド分の復号化画像を読み出し、その後、前記メモリから前記第２垂直ブランキングデータを所定回読み出す読出手段と、
前記読出手段による前記１フィールド分の復号化画像の読み出しが終了したことを検出する検出手段と、
前記検出手段で前記１フィールド分の復号化画像の読み出しが終了したことが検出された場合には、前記読出手段が前記メモリから前記１フィールド分の映像信号の第２垂直ブランキングデータを読み出している間に、前記メモリに格納されている前記第１の水平ブランキングデータを第２の水平ブランキングデータへと書き換えて次の１フィールド分の水平ブランキングデータとする格納制御手段と、
前記第１垂直ブランキングデータと前記第１の水平ブランキングデータとが付された１フィールド分の復号化画像を出力した後、前記第２垂直ブランキングデータと前記第２の水平ブランキングデータとが付された１フィールド分の復号化画像を出力して、前記１フレーム分の前記復号化映像信号とする出力手段と、
を備えたことを特徴とする画像変換装置。
【請求項２】
入力された１フィールドの画像データの符号化を行って得られた１フィールド分の符号化画像から復号して、１フィールド分の画像信号を生成し、この１フィールド分の画像信号を２度用いると共に水平・垂直ブランキングデータを付加して、１フレーム分を構成する復号化映像信号を出力する画像変換方法において、
前記１フィールド分の画像信号は、時間軸上で、第１垂直ブランキングデータと、水平ブランキングデータが付加された復号化画像と、第２垂直ブランキングデータとの順に走査されるデータ配列から構成されており、
前記画像変換方法は、
メモリが、第１垂直ブランキングデータと、第１の水平ブランキングデータと、１フィールド分の復号化画像と、第２垂直ブランキングデータとを含む前記１フィールド分の画像信号を格納する第１ステップと、
前記メモリから前記第１垂直ブランキングデータを所定回読み出し、次に、前記メモリから前記第１の水平ブランキングデータが付されるようにして前記１フィールド分の復号化画像を読み出し、その後、前記メモリから前記第２垂直ブランキングデータを所定回読み出す第２ステップと、
前記第２ステップにおける前記１フィールド分の復号化画像の読み出しが終了したことを検出する第３ステップと、
前記第３ステップにおいて前記１フィールド分の復号化画像の読み出しが終了したことが検出された場合には、前記メモリから前記１フィールド分の映像信号の第２垂直ブランキングデータを読み出している間に、前記メモリに格納されている前記第１の水平ブランキングデータを第２の水平ブランキングデータへと書き換えて次の１フィールド分の水平ブランキングデータとする第４ステップと、
前記第１垂直ブランキングデータと前記第１の水平ブランキングデータとが付された１フィールド分の復号化画像を出力した後、前記第２垂直ブランキングデータ及び前記第２の水平ブランキングデータが付された１フィールド分の復号化画像を出力して、前記１フレーム分の前記復号化映像信号とする第５ステップと、
を有することを特徴とする画像変換方法。
【発明の詳細な説明】
【技術分野】
【０００１】
本発明は、１フィールドの有効画像データを信号処理プロセッサのＤＭＡ機能を用いて水平及び垂直同期信号を付加し、ＩＴＵ−Ｒで規定するＢＴ６５６形式の映像信号に生成して出力する画像変換装置及び画像変換方法に関する。
【背景技術】
【０００２】
最近になり、ムービーカメラなど小型映像機器が開発され、市場導入されている。小型機器で撮影した映像を内蔵する液晶モニタで視聴したり、映像入力端子を有する据え置き型モニタで視聴したりする。外部部機器への接続は、例えばＮＴＳＣエンコーダによりＮＴＳＣ方式の映像信号に変換して出力する方法の他に、ＩＴＵ−Ｒで規定するＢＴ６５６形式の映像信号として出力する方法がある。ＢＴ６５６形式の映像信号はディジタル信号をそのまま表示装置に供給するため、輝度信号と色信号とが干渉してクロスカラーが生じたり、伝送帯域の不足による信号の劣化が生じたりしない。ＢＴ６５６形式による映像信号の伝送は、撮影した映像信号、ないしは録画した画像信号を簡易にディジタル端子を有する表示器に伝送できるなど、好ましい接続方法である。
【０００３】
特許文献１には、符号化された映像信号を復号化し、ＩＴＵ−Ｒで規定するＢＴ６５６形式の映像信号に変換してディスプレイ装置に出力して表示するＡＶシステムが開示されている。有効画像データの先頭には同規格に準拠するＳＡＶ（Start Active Video）データパケットの付加や、ＥＡＶ（End Active Video）データパケットの付加を行う。さらには、輝度信号と色差信号とがＹＵＶ４：１：１方式である映像信号をＹＵＶ４：２：２形式の信号に変換して出力できるようにしたＡＶシステムが開示されている。
【特許文献１】特開２０００−１９６９８５号公報
【発明の開示】
【発明が解決しようとする課題】
【０００４】
ところで、ＢＴ６５６形式の映像信号は、１フレームの映像信号に対する奇数フィールド偶数フィールドの映像信号を正しく表示させるため、フィールドごとに異なるＳＡＶやＥＡＶ信号を水平同期期間で伝送するようにしている。復号化して得られたディジタル画像信号をＢＴ６５６形式の映像信号に変換して出力する場合にもＳＡＶやＥＡＶ信号を付加する。外部映像機器と接続するためのインタフェース機能としての信号付加は小さな回路規模で、低価格に実現する必要がある。特に、符号化方式が、例えばＭＰＥＧ（moving picture experts group）−１などのように高圧縮率で符号化された画像信号を用いる小型映像機器の場合では小形、低価格はさらに重要である。即ち、ＭＰＥＧ−１による符号化方式は、１フレームが２フィールドで構成される映像信号のうち、１つのフィールド信号のみを符号化して符号量の小さな画像信号を得るようにしているため、１フィールドの画像信号を記録する媒体や記録再生装置を小さく構成できる。小型低価格機を実現できる。そこで、小型低価格機に用いられるＢＴ６５６形式の映像信号出力用インタフェースは、回路規模が小さく簡易に構成できる映像信号出力インタフェースとして実装する必要がある。
【０００５】
しかしながら、特許文献１に開示されているＡＶシステムでは、ＭＰＥＧ−１で扱うＹＵＶ４：１：１方式の映像信号をＹＵＶ４：２：２形式の信号にして出力するＢＴ６５６形式の映像信号出力インタフェースは実現されているものの、例えばＤＭＡコントロールされる演算素子に格納される限られたサイズのメモリ回路を用い、小さなハードウエア規模でありながら簡易にＢＴ６５６形式の映像信号を出力する簡易なインタフェースとしては実現されていない。
【０００６】
そこで、本発明は、上記のような問題点を解消するためになされたもので、入力される１フレーム２フィールドの映像信号のうち、１フィールドの信号のみを符号化して得られた小さな符号量の画像信号を用いて、１フレーム２フィールドの映像信号として出力するための、回路規模が小さく小型低価格機の使用に適した画像変換装置及び画像変換方法を提供することを目的とする。
【課題を解決するための手段】
【０００７】
本願発明における第１発明は、入力された１フィールドの画像データの符号化を行って得られた１フィールド分の符号化画像から復号して、１フィールド分の画像信号を生成し、この１フィールド分の画像信号を２度用いると共に水平・垂直ブランキングデータを付加して、１フレーム分を構成する復号化映像信号を出力する画像変換装置において、前記１フィールド分の画像信号は、時間軸上で、第１垂直ブランキングデータと、水平ブランキングデータが付加された復号化画像と、第２垂直ブランキングデータとの順に走査されるデータ配列から構成されており、前記画像変換装置は、第１垂直ブランキングデータと、第１の水平ブランキングデータと、１フィールド分の復号化画像と、第２垂直ブランキングデータとを含む前記１フィールド分の画像信号を格納するメモリと、前記メモリから前記第１垂直ブランキングデータを所定回読み出し、次に、前記メモリから前記第１の水平ブランキングデータが付されるようにして前記１フィールド分の復号化画像を読み出し、その後、前記メモリから前記第２垂直ブランキングデータを所定回読み出す読出手段と、前記読出手段による前記１フィールド分の復号化画像の読み出しが終了したことを検出する検出手段と、前記検出手段で前記１フィールド分の復号化画像の読み出しが終了したことが検出された場合には、前記読出手段が前記メモリから前記１フィールド分の映像信号の第２垂直ブランキングデータを読み出している間に、前記メモリに格納されている前記第１の水平ブランキングデータを第２の水平ブランキングデータへと書き換えて次の１フィールド分の水平ブランキングデータとする格納制御手段と、前記第１垂直ブランキングデータと前記第１の水平ブランキングデータとが付された１フィールド分の復号化画像を出力した後、前記第２垂直ブランキングデータと前記第２の水平ブランキングデータとが付された１フィールド分の復号化画像を出力して、前記１フレーム分の前記復号化映像信号とする出力手段とを備えたことを特徴とする画像変換装置を提供する。
第２発明は、入力された１フィールドの画像データの符号化を行って得られた１フィールド分の符号化画像から復号して、１フィールド分の画像信号を生成し、この１フィールド分の画像信号を２度用いると共に水平・垂直ブランキングデータを付加して、１フレーム分を構成する復号化映像信号を出力する画像変換方法において、前記１フィールド分の画像信号は、時間軸上で、第１垂直ブランキングデータと、水平ブランキングデータが付加された復号化画像と、第２垂直ブランキングデータとの順に走査されるデータ配列から構成されており、前記画像変換方法は、メモリが、第１垂直ブランキングデータと、第１の水平ブランキングデータと、１フィールド分の復号化画像と、第２垂直ブランキングデータとを含む前記１フィールド分の画像信号を格納する第１ステップと、前記メモリから前記第１垂直ブランキングデータを所定回読み出し、次に、前記メモリから前記第１の水平ブランキングデータが付されるようにして前記１フィールド分の復号化画像を読み出し、その後、前記メモリから前記第２垂直ブランキングデータを所定回読み出す第２ステップと、前記第２ステップにおける前記１フィールド分の復号化画像の読み出しが終了したことを検出する第３ステップと、前記第３ステップにおいて前記１フィールド分の復号化画像の読み出しが終了したことが検出された場合には、前記メモリから前記１フィールド分の映像信号の第２垂直ブランキングデータを読み出している間に、前記メモリに格納されている前記第１の水平ブランキングデータを第２の水平ブランキングデータへと書き換えて次の１フィールド分の水平ブランキングデータとする第４ステップと、前記第１垂直ブランキングデータと前記第１の水平ブランキングデータとが付された１フィールド分の復号化画像を出力した後、前記第２垂直ブランキングデータ及び前記第２の水平ブランキングデータが付された１フィールド分の復号化画像を出力して、前記１フレーム分の前記復号化映像信号とする第５ステップとを有することを特徴とする画像変換方法を提供する。
【発明の効果】
【０００８】
本発明によれば、入力される１フレーム２フィールドの映像信号のうち、１フィールドの信号のみを符号化して得られた小さな符号量の画像信号を用いて、１フレーム２フィールドの映像信号として出力できる。このため、回路規模が小さく小型低価格機の使用に適した画像変換装置及び画像変換方法を実現できる。
【発明を実施するための最良の形態】
【０００９】
以下に本発明の各実施例に係る、画像変換装置について図１〜図７を用いて説明する。
図１は、本発明の実施に係る画像変換装置の構成例を示すブロック図である。
図２は、本発明の実施に係る映像信号の状態を示す図である。
図３は、本発明の実施に係るＢＴ６５６形式による信号構成を模式的に示した図である。
図４は、本発明の実施に係るＢＴ６５６形式による１フレームの信号を分割表示した図である。
図５は、本発明の実施に係るＥＡＶ及びＳＡＶの要部の信号関係を示した図である。
図６は、本発明の実施に係るコントロールテーブルの記述例を示した図である。
図７は、本発明の実施に係る画像変換装置の動作をフローチャートにより示した図である。
【００１０】
その画像変換装置は、入力される１フレーム２フィールドの映像信号のうち、１フィールドの信号のみを符号化して得られた小さな符号量の画像信号を用いて、１フレーム２フィールドの映像信号として出力するための、回路規模が小さく小型低価格機の使用に適した装置を実現するという目的を、１フィールド分の映像信号を格納するメモリと、前記１フィールド分の映像信号を走査する走査手段と、前記１フィールド分の映像信号の走査が終了したことを検出する検出手段と、前記検出手段で前記１フィールド分の映像信号の走査が終了したことが検出された場合には、前記メモリから前記１フィールド分の映像信号の第２垂直ブランキングデータを読み出している間に、前記メモリに格納されている水平ブランキングデータを書き換えて次の１フィールド分の水平ブランキングデータとする格納制御手段と、前記メモリに書き換える前の前記１フィールド分の映像信号を出力した後、前記水平ブランキングデータが書き換えられた前記次の１フィールド分の映像信号を出力して、前記１フレーム分の前記復号化映像信号とする出力手段とを備えるようにして実現した。
【００１１】
画像変換装置の構成について述べる。
図１に示す画像変換装置１は、ＭＰＥＧ（moving picture experts group）−１エンコーダ１１、記憶部１２、ＭＰＥＧ−１デコーダ１３、メモリ１４、ＤＭＡコントローラ１５、コントロールテーブル部１６、ＳＡＶ（Start Active Video）ＥＡＶ（Emd Active Video）書換部１７、制御部１８、及び出力部１９より構成される。ＭＰＥＧ−１エンコーダ１１には映像信号が入力される。出力部１９からはＩＴＵ−Ｒ（International Telecommunication Union - Radiocommunication sector）により規定されるＢＴ６５６（同期多重方式の画像フォーマットインタフェース）形式の映像信号が出力される。
【００１２】
画像変換装置の動作について述べる。
まず、ビデオカメラなどで得られた映像信号はＭＰＥＧ−１エンコーダ１１に入力される。ＭＰＥＧ−１エンコーダ１１では映像信号を水平方向３５２画素、垂直方向２４０本のＣＩＦ（Common Intermediate Format）画像として符号化する。通常のＮＴＳＣ（national television system committee color television system）による映像信号の有効走査線数は約４９０本である。ＭＰＥＧ−１で符号化された信号は１フレームが２フィールドで構成される映像信号のうち、１フィールドの信号のみが符号化される。符号化された信号の転送レートは毎秒１．４Ｍビットの低レートである。ＣＤと同じ転送レートである。低レートで符号化された信号は記憶部１２に記憶される。
【００１３】
記憶部１２に記憶された信号は必要に応じて読み出される。ＭＰＥＧ−１デコーダ１３で復号化される。復号化して得られた１フィールドのディジタル画像信号はメモリ１４に記憶される。記憶されたディジタル画像信号は同期信号の付されない有効画像のみの信号である。ＤＭＡコントローラ１５はメモリ１４に記憶される１フィールドの信号を２度づつ読み出すと共に、後述の水平及び垂直同期信号を付加した映像信号として生成するための読み出しアドレスの制御を行う。水平同期信号には後述のＳＡＶ（Start Active Video）及びＥＡＶ（Emd Active Video）情報が含まれる。コントロールテーブル部１６には水平及び垂直同期信号、ＳＡＶ、ＥＡＶ、及び画像信号の読み出し方法が記述されたテーブルが格納されている。ＤＭＡコントローラ１５はコントロールテーブル部１６に格納されるテーブルに従って水平及び垂直同期信号及び画像信号の読み出しアドレスなどを制御する。
【００１４】
ここで、メモリ１４に記憶される１フィールドの画像信号は同一信号が２度続けて読み出される。しかし、画像信号に付される水平同期信号のうち、ＳＡＶやＥＡＶはフィールド毎に異なるデータとされる。ＳＡＶＥＡＶ書換部１７は、メモリ１４に記憶される水平同期信号を奇数フィールド用のＳＡＶやＥＡＶに、又は偶数フィールド用のＳＡＶやＥＡＶに書換える。メモリ１４に記憶される画像信号、水平同期信号及び垂直同期信号を２回ずつ読み出しているにも拘らず、奇数フィールドの同期信号は奇数フィールド用のＳＡＶやＥＡＶが付され、偶数フィールドの同期信号は偶数フィールド用のＳＡＶやＥＡＶが付された信号として読み出される。
【００１５】
ＤＭＡコントローラはフィールド期間毎に画像信号及び同期信号が記憶される領域の最初のアドレスのみを指定することによりＢＴ６５６に従った映像信号として読み出すことが出来る。読み出された信号は出力部１９を介してＢＴ６５６形式の映像信号を表示できる液晶表示器などに入力され、表示される。
ここで用いられるメモリ１４やＤＭＡコントローラ１５は、１フィールド分の画像と同期信号を記憶し、指定されるアドレスから所定の領域に記憶された信号を連続的に読み出す程度の単純なメモリを有するＤＭＡコントローラ機能を用いて実現できる。制御部１８は画像変換装置１の信号系の装置全体に係る制御を行う。
【００１６】
図２を参照して、画像変換装置で扱われる信号を説明する。
同図の（Ａ）に示す信号はＭＰＥＧ−１エンコーダ１１に入力される信号のうち、同期信号期間を除いた水平方向７０４画素、垂直方向に４８０画素（有効走査線数４８０本）のフレーム画像である。（Ｂ）は、ＭＰＥＧ−１エンコーダ１１により符号化がなされる。水平方向にサブサンプリングして得られる３５２画素と、１フィールドの２４０画素（走査線）のフィールド画像である。ＭＰＥＧ−１デコーダ１３で復号化し（Ｂ）の画像データが得られる。（Ｃ）は、（Ｂ）に示した１フィールドの画像をＩＴＵ−Ｒ、ＢＴ６５６の形式として出力させる状態を示したものである。（Ｂ）に示した画像とＭＰＥＧ−１復号化画像４１及びＭＰＥＧ−１復号化画像４３は同一の画像である。第１フィールド同期信号４２とＭＰＥＧ−１復号化画像４１とで奇数フィールドの出力画像が形成される。第２フィールド同期信号４４とＭＰＥＧ−１復号化画像４３とで偶数フィールドの出力画像が形成される。画像出力信号は第１フィールド同期信号４２及びＭＰＥＧ−１復号化画像４１と、第２フィールド同期信号４４及びＭＰＥＧ−１復号化画像４３とがテレビジョンの走査線方向に走査され、ＩＴＵ−Ｒ  ＢＴ６５６形式の映像信号として出力される。
【００１７】
図３を参照し、ＩＴＵ−Ｒ  ＢＴ６５６形式の映像信号に付される同期信号につき詳述する。
第１フィールド同期信号４２は第１フィールド垂直ブランキングデータ４２１と、ＥＡＶ４２２ａ、水平ブランキングデータ４２２ｂ、及びＳＡＶ４２２ｃよりなる第１フィールド水平ブランキングデータ４２２と第１フィールド垂直ブランキングデータ４２３とからなる。第２フィールド同期信号４４は第２フィールド垂直ブランキングデータ４４１と、ＥＡＶ４４２ａ、水平ブランキングデータ４４２ｂ、及びＳＡＶ４４２ｃよりなる第２フィールド水平ブランキングデータ４４２と第２フィールド垂直ブランキングデータ４４３とからなる。
【００１８】
ＥＡＶ４２２ａ及びＳＡＶ４２２ｃのそれぞれは４バイトであり、水平ブランキングデータ４２２ｂは６７×４（＝２８２）バイトである。第１フィールド垂直ブランキングデータ４２１、ＭＰＥＧ−１復号化画像４１、及び第１フィールド垂直ブランキングデータ４２３のそれぞれは４２９×４（＝１７１６）バイトである。第２フィールド同期信号４４のバイト数は第１フィールド同期信号４２のバイト数と同様に構成される。
【００１９】
ここで、水平ブランキングデータ４２２ｂ及び水平ブランキングデータ４４２ｂの走査方向のデータは同一である。しかし、ＥＡＶ４２２ａとＥＡＶ４４２ａは垂直ブランキングデータに付されるＥＡＶであるか、復号化画像に付されるＥＡＶであるかにより異なったデータとされる。第１フィールド及び第２フィールドにおいても異なった値が与えられる。一方、同一の垂直ブランキングデータ／復号化画像であり、且つ同一の第１フィールド／第２フィールドのそれぞれの領域内では同一の値が与えられる。ＳＡＶ４２２ｃとＳＡＶ４４２ｃも同様なＳＡＶの値が与えられる。
【００２０】
第１フィールド垂直ブランキングデータ４２１は１７本の走査線からなっている。第１フィールド水平ブランキングデータ４２２の領域は２６２本の走査線からなっている。第１フィールド垂直ブランキングデータ４２１におけるそれぞれの走査線には、同一線上における第１フィールド水平ブランキングデータ４２２の走査線が付されるようにして走査される。ＭＰＥＧ−１復号化画像４１の走査線には、同一線上の第１フィールド水平ブランキングデータ４２２の走査線が付されるようにして走査される。第２フィールドの走査線は、同様にして第２フィールド水平ブランキングデータ４４２の領域にある走査線が付されて走査される。
第１フィールド垂直ブランキングデータ４２１の手前（上）の第２フィールド垂直ブランキングデータの最初から、第２フィールド垂直ブランキングデータ４４３の手前であるＭＰＥＧ−１復号化画像４３の終わりまでの走査線数は５２５本である。
【００２１】
図４を参照して、同期信号と符号化画像の生成方法について更に述べる。
同図における（１）は第１フィールド垂直ブランキングデータ４２１を構成する１７本の走査線のうちの１本の走査線を示している。他の１６本の走査線は（１）と同一データで構成される。
（２）は第１フィールドの信号として走査される場合の復号化画像と第１フィールド水平ブランキングデータ４２２の関係を示す。第１フィールド水平ブランキングデータ４２２を構成するそれぞれの走査線のデータは同一のデータである。
（３）は第２フィールド垂直ブランキングデータ４４１のうちの１本の走査線を示している。（４）は第２フィールドの信号として走査される場合の復号化画像と第２フィールド水平ブランキングデータ４２２の関係を示す。第２フィールド水平ブランキングデータ４４２を構成するそれぞれの走査線のデータは同一のデータである。
【００２２】
図１に示したメモリ１４には図４に示す（１）、（２）、及び（３）のデータが記憶される。その走査順は次の様になる。
まず、（１）の走査線を１７回読み出し、第１フィールド水平ブランキングデータ４２２の付される第１フィールド垂直ブランキングデータ４２１の１７本の走査線を得る。次に、（２）の２４３本の走査線を１本づつ順に読み出す。その後（１）の走査線を２回読み出し、次に（３）の走査線を１７回読み出すと共に、（２）の第１フィールド水平ブランキングデータ４２２のＥＡＶ４２２ａを（４）のＥＡＶ４４２ａに、（２）のＳＡＶ４２２ｃを（４）のＳＡＶ４４２ｃに書き換える。第１フィールド水平ブランキングデータを第２フィールド水平ブランキングデータに書き換える。ＭＰＥＧ−１復号化画像４１とＭＰＥＧ−１復号化画像４３とは同一の画像データを用いるため（２）のデータは（４）のデータと同一になる。（３）の読み出し後は（２）を読み出すことにより（４）を読み出したと等価になる。
（２）の読み出し後、（４）のデータに書き換えられた（２）の水平ブランキングデータを元の（２）のデータに書き換える。
【００２３】
図１に示したメモリ１４には図４に示した（１）、（２）及び（３）の合計２４５本分の走査線情報が記憶される。メモリ１４への画像データの書き込み及び読み出しはＤＭＡコントローラ１５で指定されるアドレス位置に従い、制御部１８に制御されて行われる。図４の（２）に示した水平ブランキングデータのＳＡＶ及びＥＡＶは、ＳＡＶＥＡＶ書換部１７に記憶されるデータが用いられ、制御部１８によりなされるフィールド画像の読み出し状態の検出結果に制御されて置換動作が行われる。
【００２４】
図５を参照してＳＡＶ及びＥＡＶについて述べる。
ＳＡＶ及びＥＡＶのそれぞれは４バイト（３２ビット）のデータ値である。そのデータ値は１６進表示によりＦＦ００００ＸＸと記述される。
同図における（５）はそのＸＸのビット０〜ビット７の値を示している。第７ビットは常に１である。第４ビット〜第６ビットはフィールドフラグＦ、垂直ブランキングフラグＶ、及び水平ブランキングフラグＨにより与えられる。
【００２５】
（６）は走査線の番号により決められるＦ、Ｖ、Ｈの値を示している。ＩＴＵ−ＲのＢＴ６５６では、第１〜第３ライン及び第２６６〜第２８２ラインは第２フィールドの垂直ブランキングとされており、その場合のＦ、Ｖ、Ｈ（ＥＡＶ）、Ｈ（ＳＡＶ）の値は順に１、１、１、０とされる。第４〜第２０ライン及び第２６４〜第２６５ラインは第１フィールドの垂直ブランキングとされており、その場合のＦ、Ｖ、Ｈ（ＥＡＶ）、Ｈ（ＳＡＶ）の値は順に０、１、１、０とされる。第２１〜第２６３ラインは第１フィールドの映像信号であり、Ｆ、Ｖ、Ｈ（ＥＡＶ）、Ｈ（ＳＡＶ）は０、０、１、０とされる。第２８３〜第５２５ラインは第２フィールドの映像信号であり、Ｆ、Ｖ、Ｈ（ＥＡＶ）、Ｈ（ＳＡＶ）は１、０、１、０とされる。
第０ビットから第３ビットはＦ、Ｖ、Ｈの排他的論理和により求められる値である。２を法とする加算演算により求められる。
【００２６】
図６を参照し、コントロールテーブル部１６に記述されるコントロールテーブルにつき説明する。
ＩＴＵ−ＲのＢＴ６５６で定義される走査線のカテゴリ毎に６分類された動作に対する制御文が記述される。ディスクリプタ１に記述される文は第１〜第３ラインの走査線に係る制御文であり、記述内容は、メモリ１４の第２フィールド垂直ブランキングデータ用ラインデータのアドレス値、データ領域のバイト数、出力時の繰り返し回数、及び次に実行するディスクリプタ２のアドレス値である。ディスクリプタ１〜ディスクリプタ６に記述される制御文に従ってＤＭＡコントローラ１５はメモリ１４のランダムアクセス読み出し制御を行う。
【００２７】
図７を参照して画像変換装置の動作の流れを説明する。
まず、Ｓ（ステップ）７１において、図１に示したメモリ１４の、図４に示した（２）の第１フィールド水平ブランキングデータ４２２のＥＡＶ４２２ａ及びＳＡＶ４２２ｃに奇数フィールド用のＥＡＶ及びＳＡＶのデータをロードする。ＤＭＡコントローラ１５に制御され、Ｓ７２でＭＰＥＧ−１の復号化画像を第１フィールドの映像信号として読み出す。Ｓ７３で、走査線の番号が２６３を超えたか否かを検出する。超えない場合はＳ７２の動作を繰り返し、超えた場合はＳ７４で、Ｓ７１でロードした奇数フィールド用のＥＡＶ及びＳＡＶのデータを偶数フィールド用のＥＡＶ及びＳＡＶのデータに置換する。ＤＭＡコントローラ１５に制御され、Ｓ７５でＭＰＥＧ−１の復号化画像を第２フィールドの映像信号として読み出す。Ｓ７６で走査線の番号が５２５を超えたかを検出する。超えない場合はＳ７５の動作を行い、超えた場合はＳ７７において、Ｓ７４で置換した偶数フィールド用のＥＡＶ及びＳＡＶのデータを奇数フィールド用のＥＡＶ及びＳＡＶのデータに置換する。Ｓ７８でＭＰＥＧ−１デコーダ１３により復号化した画像の読み出しを終えるか否かを検出し、終えない場合にはＳ７２からの動作を繰り返し、終える場合には映像信号の出力動作を終了する。
【００２８】
以上の動作は、いわゆるディジタル信号プロセッサのＤＭＡ機能により、ＢＴ６５６で規定される仕様に従ったディジタル映像信号を生成して出力するものである。ディスクリプタに記述される制御文により転送するデータのアドレス、転送するデータサイズ、繰り返し数、及び次のディスクリプタを記述するアドレスを指定することにより連続して記憶される又は連続しない領域にポインタが付されて記憶された複数メモリブロックのデータを転送可能とするものである。ＢＴ６５６で規定される信号を表示可能とする小画面ビューファインダや液晶表示装置に接続し、非同期で動作する表示装置に映像信号を好適に表示させることができる。
なお、第１フィールド水平ブランキングデータ４２２のＥＡＶ４２２ａやＳＡＶ４２２ｃの書換は制御部１８に格納されるＣＰＵにより制御して書き換えるようにしても良い。
また、メモリ１４には第１フィールド用及び第２フィールド用の垂直ブランキングデータを記憶するとして述べた。それらの垂直ブランキングデータは１つの垂直ブランキングデータを記憶しておきＥＡＶやＳＡＶを書き換えることにより第１フィールド用として、又は第２フィールド用として使用するようにしても良い。
【００２９】
以上のように、画像変換装置１によれば、１フィールド分の映像信号を格納するメモリ１４と、前記１フィールド分の映像信号を走査する走査手段１５、１６と、前記１フィールド分の映像信号の走査が終了したことを検出する検出手段１８と、前記検出手段で前記１フィールド分の映像信号の走査が終了したことが検出された場合には、前記メモリから前記１フィールド分の映像信号の第２垂直ブランキングデータを読み出している間に、前記メモリに格納されている水平ブランキングデータを書き換えて次の１フィールド分の水平ブランキングデータとする格納制御手段１７と、前記メモリに書き換える前の前記１フィールド分の映像信号を出力した後、前記水平ブランキングデータが書き換えられた前記次の１フィールド分の映像信号を出力して、前記１フレーム分の前記復号化映像信号とする出力手段１９とを備えているので、入力される１フレーム２フィールドの映像信号のうち、１フィールドの信号のみを符号化して得られた小さな符号量の画像信号を用いて、１フレーム２フィールドの映像信号として出力できる。このため、回路規模が小さく小型低価格機の使用に適した画像変換装置を実現できる。
【産業上の利用可能性】
【００３０】
１フィールドの画像信号を、ＩＴＵ−Ｒで規定するＢＴ６５６形式の映像信号として生成して出力する画像変換装置に適用できる。
【図面の簡単な説明】
【００３１】
【図１】本発明の実施に係る画像変換装置の構成例を示すブロック図である。
【図２】本発明の実施に係る映像信号の状態を示す図である。
【図３】本発明の実施に係るＢＴ６５６形式による信号構成を模式的に示した図である。
【図４】本発明の実施に係るＢＴ６５６形式による１フレームの信号を分割表示した図である。
【図５】本発明の実施に係るＥＡＶ及びＳＡＶの要部の信号関係を示した図である。
【図６】本発明の実施に係るコントロールテーブルの記述例を示した図である。
【図７】本発明の実施に係る画像変換装置の動作をフローチャートにより示した図である。
【符号の説明】
【００３２】
１    画像変換装置
１１    ＭＰＥＧ−１エンコーダ
１２    記憶部
１３    ＭＰＥＧ−１デコーダ
１４    メモリ
１５    ＤＭＡコントローラ
１６    コントロールテーブル部
１７    ＳＡＶＥＡＶ書換部
１８    制御部
１９    出力部
４１、４３    ＭＰＥＧ−１符号化画像
４２    第１フィールド同期信号
４４    第２フィールド同期信号
４２１    第１フィールド垂直ブランキングデータ
４２２    第１フィールド水平ブランキングデータ
４２２ａ、４４２ａ    ＥＡＶ
４２２ｂ、４４２ｂ    水平ブランキングデータ
４２２ｃ、４４２ｃ    ＳＡＶ
４２３    第１フィールド垂直ブランキングデータ
４４１、４４３    第２フィールド垂直ブランキングデータ
４４２    第２フィールド水平ブランキングデータ
【図１】
0004706364.tif 000002
【図２】
0004706364.tif 000003
【図３】
0004706364.tif 000004
【図４】
0004706364.tif 000005
【図５】
0004706364.tif 000006
【図６】
0004706364.tif 000007
【図７】
0004706364.tif 000008